(57)【特許請求の範囲】
【請求項１】
上面が開口した浴槽本体の側壁に動物用の出入口を設け、当該出入口に開閉自在に扉体を取付け、浴槽本体に昇降装置の駆動軸を連結して浴槽本体を高さ位置可変に構成し、浴槽本体内に配置される動物の鼻先位置にロール体を横架するとともに、当該ロール体を浴槽本体の側壁に回動自由に枢支してなることを特徴とする動物用浴槽装置。
【請求項２】
浴槽本体の下方に昇降装置を配置するとともに、浴槽本体の所定の側壁の下方にある昇降装置の外側面を、前記浴槽本体の所定の側壁よりも奥まった位置に配置して、前記浴槽本体の所定の側壁下方に使用者の足先収容空間を設けてなる請求項１に記載の動物用浴槽装置。
【発明の詳細な説明】
【０００１】
【発明の属する技術分野】
本発明は、例えば大型犬などの動物を容易に洗える動物用浴槽装置に関するものである
【０００２】
【従来の技術】
従来、この種の動物用浴槽装置は、例えば登録実用新案第３００５７５２号公報に開示されている。前記公報開示の動物用浴槽装置は、上面が開口した箱状の浴槽本体を備えている。浴槽本体の側壁に犬などの動物を出入りさせるための出入口が設けられ、出入口には扉体が開閉自在に取付けられている。この場合、浴槽本体は基台フレーム上に載置され洗い作業に適した一定の高さに保持されている。
かかる従来の動物用浴槽装置は側壁の出入口から動物を出し入れできるので、側壁に出入口を持たない浴槽装置のように浴槽本体の上縁を越して動物を出し入れするといった労苦を使用者に与えないよう工夫されている。
【０００３】
【発明が解決しようとする課題】
前記した従来装置のように側壁に出入口があったとしても、浴槽本体は洗い作業に適した高さにおかれているので出入口もいくぶん高い位置にある。また、使用者であるトリマーは非力で小柄な女性であることが多い。そのため、例えばセントバーナードやシェパードといった重量のある大型犬を出入口の高さまで持ち上げられないことがあり、犬が嫌がって暴れた場合は出し入れにことさら困難を伴うこととなる。
一方、使い勝手の良い浴槽本体の高さは使用者の体格により異なるが、従来装置の浴槽本体の高さは一定であるので、全ての使用者の使い勝手を満たせるものでなかった。
【０００４】
本発明は、上記した従来の問題点に鑑みてなされたものであって、浴槽本体に対し動物を容易に出し入れでき、楽な姿勢で動物を洗うことのできる動物用浴槽装置の提供を目的とする。
【０００５】
【課題を解決するための手段】
上記目的を達成するために、本発明に係る動物用浴槽装置は、上面が開口した浴槽本体の側壁に動物用の出入口を設け、当該出入口に開閉自在に扉体を取付け、浴槽本体に昇降装置の駆動軸を連結して浴槽本体を高さ位置可変に構成し、浴槽本体内に配置される動物の鼻先位置にロール体を横架するとともに、当該ロール体を浴槽本体の側壁に回動自由に枢支してなるものである。
【０００６】
また、前記構成において、浴槽本体の下方に昇降装置を配置するとともに、浴槽本体の所定の側壁の下方にある昇降装置の外側面を、前記浴槽本体の所定の側壁よりも奥まった位置に配置して、前記浴槽本体の所定の側壁下方に使用者の足先収容空間を設けてなるものである。
ここで、所定の側壁とは、例えば動物を洗う際に使用者が対峙する側壁を指す。
【０００８】
【発明の実施の形態】
本発明の実施の形態を図面に基づいて説明する。
図１は本発明の一実施形態に係る動物用浴槽装置を示す外観図、図２は前記動物用浴槽装置の正面図、図３は前記動物用浴槽装置の平面図である。
各図において、この実施形態に係る動物用浴槽装置１はそのほとんどが水に強く剛性の高い部材、例えばステンレス鋼材などで構成されている。また、動物用浴槽装置１は箱状に形成された浴槽本体２を備えている。浴槽本体２は方形底面の周縁に側壁５，５，５，５ａが立設されて槽内４をなし、上面開口３を有している。
【０００９】
この浴槽本体２では、正面の側壁５ａに動物用の出入口６が設けられている。そして、出入口６周縁の側壁５ａに扉体７が蝶番８，８を介して水平揺動可能に取付けられ、この扉体７によって出入口６が開閉される。出入口６周縁の側壁５ａと扉体７には錠１０が取付けられている。浴槽本体２の底面中央部には排水口１３が設けられている。排水口１３はその下方に配備された排水ポット１５と連通し、排水ポット１５は排水ホース（図示省略）とつながっている。浴槽本体２の背部には浴槽本体２の上縁２ａから立ち上がった水切り板部１４が設けられている。
【００１０】
そして、浴槽本体２の下方には昇降装置１８が配置されている。昇降装置１８は、図４に示すように、上面および四方側面がケーシング板１１で被われた矩形籠状のフレーム２６と、上下進退駆動する駆動軸２０を有するとともにフレーム２６に固設された足踏み油圧ポンプ式の昇降機１９と、昇降機１９背部の軸受２１に回動自在に軸支されて昇降機１９内の油圧ピストンや弁（いずれも図示省略）を作動させるスイッチ軸２２と、ケーシング板１１の外側面１８ａ前方に横架された足踏みバー２４と、ケーシング板１１の外側面１８ａに形成された縦長の孔２５，２５に挿通されてスイッチ軸２２と足踏みバー２４を連結する１対の連結杆２３，２３とから構成されている。前記した排水ポット１５からの排水ホースは昇降装置１８のケーシング内を通して外部に導かれている。
【００１１】
この昇降装置１８では、２基の昇降機１９，１９が配備されていて、それぞれの昇降機１９の駆動軸２０は浴槽本体２の下面に連結されている。これらの昇降機１９，１９は同時に駆動して浴槽本体２の高さ位置を変えるようになっている。例えば、足踏みバー２４を軽く踏むと、昇降機１９，１９の油シリンダ内に油圧作動油が汲み入れられて駆動軸２０，２０が上向きに駆動する。足踏みバー２４から足を離して足踏みバー２４を上に跳ね上げると、昇降機１９，１９が油圧ロックされて駆動軸２０，２０はその位置で保持される。足踏みバー２４を大きく踏み込むと、昇降機１９，１９の弁が強制的に開かれて油圧ロックが解除されることにより、浴槽本体２の重量で駆動軸２０，２０が最下位置まで下降するようになっている。
【００１２】
尚、洗浄時にトリマーＭ（使用者、図７参照）が立つ正面の側壁５ａが本発明にいう所定の側壁の例であるが、かかる側壁５ａの下方にある昇降装置１８の外側面１８ａは、側壁５ａの位置２Ｆよりも長さＣぶん奥まった位置１８Ｆに配置されている。これにより、側壁５ａの下方にトリマーＭの足先を収容する足先収容空間Ｓが形成される。
【００１３】
浴槽本体２の長手方向端部近傍の槽内４には、図１〜３および図５に示すように、ロール体１６，１６がそれぞれ横架されている。各ロール体１６は槽内４で背面の側壁５と正面の側壁５ａに固設された軸受１７，１７に回動自由に枢支されている。かかるロール体１６，１６の取付け位置は浴槽本体２内に配置される動物Ｄの鼻先位置にしてある。この実施形態では、動物Ｄの向きが右向き左向きのいずれの場合もあるので、浴槽本体２内の左右２箇所にロール体１６，１６を配置した。
【００１４】
図６に示すように、出入口６の左右の側縁２ｂ，２ｂ（図６では正面から見て左側の側縁２ｂだけを図示してある）および底縁２ｃよりも出入口６の中心向きに突出した背面視凹字状の止め板９が、出入口６周縁の側壁５ａ内面に固設されている。そして、側縁２ｂ，２ｂおよび底縁２ｃと、止め板９の突出部分に、断面Ｌ字状のパッキング材２７が添着されている。このパッキング材２７は、閉じられた扉体７と出入口６周縁からの水漏れを防ぐものである。
【００１５】
引続き、上記構成による動物用浴槽装置１を用いて動物Ｄを洗う態様を説明する。
まず、足踏みバー２４の踏み込みにより昇降機１９の油圧ロックを解除して浴槽本体２を最下位置まで下げる。次に、錠１０を解錠して扉体７を開け、動物Ｄを出入口６から槽内４に入れる。このとき、浴槽本体２の上縁２ａよりも低い位置に出入口６があり、しかも浴槽本体２全体が最下位置にあるため、トリマーＭが首紐を引いてやるだけで、動物Ｄはいとも簡単に出入口６から槽内４に入るのである。槽内４において動物Ｄは浴槽本体２の長手方向に頭尾を向けて収容される。その後、扉体７が閉められて施錠される。
【００１６】
ところで、入浴を嫌がる動物Ｄは浴槽本体２の上縁２ａを越えて逃げ出そうとし、鼻先のロール体１６に自然と前足を掛ける。しかしながら、ロール体１６は軸受１７，１７回りに自由回転するため、動物Ｄは前足がロール体１６から再び槽内４に滑り落ちて逃げ出せない。
尚、浴槽本体２背部の水切り板部１４は壁に取付けられるものであり、かつ、浴槽本体２の前方にはトリマーＭが立つため、ロール体１６の配設位置は浴槽本体２の槽内４における長手方向（左右方向）の両端近傍だけで十分である。但し、本発明に係るロール体の配設位置は前記した両端近傍位置に限るものでない。
【００１７】
次に、足踏みバー２４を軽く踏むと、昇降機１９の駆動軸２０が上昇する。足踏みバー２４を何回か踏んでいるうち、浴槽本体２が使い勝手の良い高さに達したときに足踏みを止め、足踏みバー２４を上に跳ね上げる。すると、昇降機１９が油圧ロックして、浴槽本体２はその高さに保持される。
【００１８】
そこで、図７に示すように、動物ＤはトリマーＭによりシャンプーを施され温水シャワーで洗われる。このとき、浴槽本体２はトリマーＭにとって使い勝手の良い高さにあり、そのうえトリマーＭは足先を側壁５ａ下方の足先収容空間Ｓに入れることができ体全体を浴槽本体２に極力近づけられる。従って、腰を深く曲げたり背伸びしたりといった無理な姿勢をとらずに済み、楽な姿勢で動物Ｄを洗うことができる。
【００１９】
尚、この実施形態の動物用浴槽装置１では、出入口６の周縁に配設されたパッキング材２７の存在により、扉体７と出入口６間の水漏れ対策が十分になされている。但し、水漏れ対策をいっそう念入りにするため、図８に示すような防水部材２８を使用してもよい。この防水部材２８は例えばステンレス鋼板からなり、板上部が前方へ更には下方に折り曲げられて折返し部２８ａが形成されている。防水部材２８は槽内４側から出入口６および止め板９を被う位置に配置され、折返し部２８ａが側壁５ａの上縁に掛けられて使用される。
【００２０】
また、上記の実施形態では水封用のパッキング材を出入口６の周縁に配設したが、かかるパッキング材は出入口６と対面する扉体７の周縁に配設しても構わない。
更に、上記の実施形態では昇降装置として人力による油圧駆動式のものを使用したが、本発明の昇降装置はそれに限定されるものでなく、例えば電気スイッチで油圧ポンプを駆動する油圧駆動式や、電動式、あるいは、ガス（エアーも含む）駆動式のものを用いることも可能である。
【００２１】
また、浴槽本体と昇降装置の駆動軸は必ずしも直結しなければならないものでなく、例えば減速機やリンク機構などを介して連結してもよい。
そして、浴槽本体の出入口に取付けられる扉体は、上記した実施形態のような蝶番８などにより横開きされる扉体７に限らない。例えば、出入口６の周縁に上下スライド可能に装着される引き抜き戸（図示省略）を扉体として用い、この引き抜き戸を上方に引き抜いて出入口６を開くように構成しても構わない。
【００２２】
【発明の効果】
以上詳述したように、本発明に係る動物用浴槽装置は、次のような従来技術と同様の効果を奏する。昇降装置により浴槽本体を高さ位置可変にしてあるので、動物を浴槽本体に出し入れするときは、昇降装置の駆動により浴槽本体を下げて出入口を低い位置にすることができる。これにより、低い出入口から動物を容易に出し入れできる。反面、動物を洗うときは、昇降装置の駆動により使用者にとって使い勝手の良い高さ位置まで浴槽本体を上げて、楽な姿勢で洗うことができる。
【００２３】
また、浴槽本体の所定の側壁下方に使用者の足先収容空間を設けた場合、足先を足先収容空間に入れることにより使用者は体全体を浴槽本体にできるだけ近づけられる。従って、腰を深く曲げたりせず楽な姿勢で動物を洗うことができるという従来技術と同様の効果も奏する。
【００２４】
加えて、本発明は、浴槽本体内に配置される動物の鼻先位置に回動自由のロール体を横架してあるので、動物が浴槽本体の側壁を越えようとロール体に前足を掛けるが、ロール体が自由回転して前足がロール体から転落するため、動物の逃げ出しを阻止することができる。
【図面の簡単な説明】
【図１】本発明の一実施形態に係る動物用浴槽装置を示す外観図である。
【図２】前記動物用浴槽装置の正面図である。
【図３】前記動物用浴槽装置の平面図である。
【図４】図２におけるＡ−Ａ矢視断面図である。
【図５】図３におけるＢ部の一部断面を含む拡大図である。
【図６】前記動物用浴槽装置の出入口近傍を示す部分斜視図である。
【図７】前記動物用浴槽装置を用いて動物を洗う態様を示す説明図である。
【図８】前記動物用浴槽装置に防水部材を用いる態様を示す説明図である。
【符号の説明】
１      動物用浴槽装置
２      浴槽本体
２ａ    上縁
３      上面開口
５ａ    所定の側壁
６      出入口
７      扉体
８      蝶番
１６    ロール体
１７    軸受
１８    昇降装置
１８ａ  外側面
１８Ｆ  位置
１９    昇降機
２０    駆動軸
Ｄ      動物
Ｍ      トリマー（使用者）
Ｓ      足先収容空間
【図１】
0003671144.tif 000002
【図２】
0003671144.tif 000003
【図３】
0003671144.tif 000004
【図４】
0003671144.tif 000005
【図５】
0003671144.tif 000006
【図６】
0003671144.tif 000007
【図７】
0003671144.tif 000008
【図８】
0003671144.tif 000009